【事件の表示】
　特願２０１５−３７４８１号「脚用枕」拒絶査定不服審判事件〔平成２８年９月５日出願公開、特開２０１６−１５８６７８号、請求項の数（３）〕について、次のとおり審決する。
【結　論】
　原査定を取り消す。
　本願の発明は、特許すべきものとする。
【理　由】
第１　手続の経緯
　本願は、平成２７年２月２６日の出願であって、平成２９年２月２７日付けで拒絶理由が通知され、同年４月２８日に意見書及び手続補正書が提出され、同年９月２５日付けで拒絶査定（以下、「原査定」という。）がされ、平成３０年１月４日に拒絶査定不服審判が請求されると同時に手続補正書が提出されたものである。 
第２　原査定の概要
　原査定の概要は次のとおりである。
　本願の請求項１〜３に係る発明は、その出願前に日本国内又は外国において頒布された以下の刊行物１及び２に記載された発明に基いて、その出願前にその発明の属する技術の分野における通常の知識を有する者（以下、「当業者」という。）が容易に発明をすることができたものであるから、特許法第２９条第２項の規定により特許を受けることができない。
　［刊行物］
１．特開２００６−３４４１０号公報
２．実公平６−１２７４７号公報
　以下、それぞれ、「引用文献１及び２」という。
第３　本願発明
　本願の請求項１〜３に係る発明（以下、それぞれ、「本願発明１〜３」という。）は、平成３０年１月４日付けの手続補正により補正された特許請求の範囲の請求項１〜３に記載された事項により特定される次のとおりものである。
「　【請求項１】
　下腿の周囲を覆うクッションを含む脚被覆部と、
　前記脚被覆部が下腿にフィットするように前記脚被覆部を締める強さである締付力を調節可能な第１の調節部と、
　前記脚被覆部を引っ張ることにより前記締付力を調節可能な第２の調節部とを備え、
　前記第１の調節部は、脹脛が締め付けられるように前記脚被覆部が下腿にフィットする状態、および、前記脚被覆部が下腿に取り付けられた状態でユーザーが移動する場合に前記脚被覆部が下腿に保持される状態を形成できるように前記締付力を調節可能である
　脚用枕。
　　【請求項２】
　前記脚被覆部は下腿に巻き付け可能な帯状の形態を有し、
　前記第１の調節部は、下腿の周囲に巻き付けられる前記脚被覆部の長さを調節することにより前記締付力を調節する
　請求項１に記載の脚用枕。
　　【請求項３】
　前記脚被覆部は、脹脛を支持する支持部、および、前記支持部の側部から伸びる帯状の巻付部を含み、
　前記第２の調節部は、前記支持部の内面に取り付けられる第１の取付部、および、前記巻付部に形成される穴を通過して前記巻付部の外面に取り付けられる第２の取付部を備え、前記巻付部に対する前記第２の取付部の取り付け位置が調節可能である
　請求項２に記載の脚用枕。」
第４　引用文献に記載された事項及び発明
１　引用文献１について
（１）引用文献１に記載された事項
　引用文献１には、図とともに、以下の事項が記載されている（なお、下線は当審で付加した。以下同様である。）。
（１ａ）
「【請求項１】
　
人体の足に脱着可能に装着することのできる下肢の血流改善用具であって、
　
仰向けに寝たときに、ふくらはぎの下部から踵の上方近傍の間のアーチ状の隙間を埋めることのできるクッション材を備え
下肢の血流改善用具。
（１ｂ）
「【０００５】
　特許文献１に開示の足枕のように、足首をクッション部材で上に持ち上げて仰向けに寝ると、下肢のむくみを解消するには効果的であるが、この体位では膝関節が中に浮いた状態となることから膝関節に負担がかかり、膝関節が痛くなるという問題が発生し易い。勿論、この付加的な問題を解消するには、ふくらはぎや膝関節の下に別のクッション材を敷くことで膝関節の負担を軽減することができる。
【０００６】
　本願発明者は、足の疲労を回復するには就寝時の足の高さを自然な状態に保ちながら血流を改善するのが効果的であると考えて本発明を案出するに至ったものである。
【０００７】
　本発明の目的は、足の膝に負担をかけることなく足の疲労を回復することができる下肢の血流改善用具を提供することにある。
【０００８】
本発明の更なる目的は、踵の床ずれや就寝時の足攣りを防止することのできる下肢の血流改善用具を提供することにある。」
（１ｃ）
「【０００９】
　ふくらはぎは人体の血流を支配する大きなファクタであることが知られているが、就寝時のふくらはぎに着目すると、仰向けに寝ると、ふくらはぎが押し潰された状態になる。その原因は、下肢や掛け布団の重さによるが、ふくらはぎが押し潰されると当該部位を通る血管が圧迫された状態になることから好ましい事ではない。
【００１０】
　本発明は、上記の技術的課題を達成すべく、
人体の足に脱着可能に装着することのできる下肢の血流改善用具であって、
仰向けに寝たときに、足のふくらはぎの下部から踵の上方近傍の間のアーチ状の隙間を埋めることのできるクッション材を具備していることを特徴とする。」
（１ｄ）
「【００１２】
　すなわち、従来は足のむくみや疲労回復には下肢を高く上げた状態で寝るのが良いとされていたが、本発明にあっては、下肢の高さを強制的に上げるのではなく、仰向けに寝たときに、ふくらはぎが押し潰された状態となるのを抑えてふくらはぎの膨らみが自然に近い状態に維持できるようにした点に特徴を有する。
【００１３】
　本発明の血流改善用具によれば、仰向けに寝たときに、下肢の高さを心臓とほぼ同じ高さレベルに保ちつつ、ふくらはぎの膨らみを自然に近い状態、典型的には立位姿勢のときの膨らみ状態に保つことができるため、これまでのように仰向けに寝たときに、掛け布団などの重みなどでふくらはぎが押し潰された状態になって、ふくらはぎを通る血管が圧迫された状態になるのを、本発明の血流改善用具によって防止することができ、これにより就寝時の当該部位の血流を改善して足の疲労を回復することができる。また、本発明の血流改善用具によれば、足を上方に高く上げるものではないため、膝関節に負担を強いることはない。」
（１ｅ）
「【００１７】
　第１実施例（図１〜図６）
・・・
【００１８】
　
血流改善用具１
下肢の下部に装着して使用するものである
装着の際には、クッション材収容部２を、ふくらはぎＣの下部から踵Ｈの近傍までの間に当てがい、左右のフラップ３、４で足ＬＧを包み込むようにして、足ＬＧの前方に向けて延びる左右のフラップ３、４の前端の面ファスナ５ａ、５ｂを重ね合わせて係合させることにより固定する
・・・
【００２２】
　血流改善用具１は、図５を参照して前述したように、クッション材収容部２が下肢ＬＧのふくらはぎＣの下部から踵Ｈの近傍までの間に当てがいながら、両手を使って左右のフラップ３、４を下肢ＬＧの下部の前で重ねるようにして面ファスナ５ａ、５ｂを係合させることにより装着することができる。図５には、
クッション材収容部２
挿入したクッション材
（２）引用文献１に記載された発明
　摘記（１ｅ）の段落【００１８】及び段落【００２２】には、第１実施例の構成が記載され、当該記載は、摘記（１ａ）の請求項１の構成を具体的に記載したものであるといえること、及び、摘記（１ａ）〜（１ｅ）から、引用文献１には、次の発明（以下、「引用発明」という。）が記載されていると認められる。
　［引用発明］
「人体の足に脱着可能に装着することのできる下肢の血流改善用具１であって、
　仰向けに寝たときに、ふくらはぎＣの下部から踵Ｈの上方近傍の間のアーチ状の隙間を埋めることのできるクッション材６を備え、
　下肢の下部に装着して使用するものであり、装着の際には、クッション材６を挿入したクッション材収容部２を、ふくらはぎＣの下部から踵Ｈの近傍までの間に当てがい、左右のフラップ３、４で足ＬＧを包み込むようにして、足ＬＧの前方に向けて延びる左右のフラップ３、４の前端の面ファスナ５ａ、５ｂを重ね合わせて係合させることにより固定する
　下肢の血流改善用具１。」
２　引用文献２について
　引用文献２には、図とともに、以下の事項が記載されている。
（２ａ）１頁１欄９〜１０行
「〔産業上の利用分野〕
本考案は、
膝蓋骨疾患に使用する膝装具
（２ｂ）２頁３欄１〜２１行
「〔考案が解決しようとする課題〕
本考案の目的は、上述のような従来の膝装具の持つ欠点を解決し、圧迫力、圧迫方向の調節が可能で、かつ圧迫部位の変化の少ない膝蓋骨亜脱臼、脱臼用膝装具を得ることにある。
〔課題を解決するための手段〕
この目的は本考案によれば、膝関節部とその上下の大腿部、下腿部とを被覆する本体と、本体の膝蓋骨に当る部分の上下にそれぞれ横方向に記置され一端を本体に固定し、他端を本体に脱着可能にした２本のストラップと、膝蓋骨の側方に当るように両ストラップに固定したパテラパッドとを備えることにより達成される。
〔作用〕
本考案においては、
膝蓋骨が脱臼する方向の膝蓋骨の側方にパテラパッドが位置するように本体に置いて膝関節部およびその上下の大腿部、下腿部上に固定し、ストラップの本体に固定されていない他端に適宜引張力を加えてその他端を本体と結合することにより、パテラパッドを膝蓋骨の側方に密接せしめて膝蓋骨に側方から圧迫力を加え、亜脱臼、脱臼を防止するようにしたものである。
（２ｃ）２頁４欄４０行〜３頁５欄１１行
「装着に当たっては、本体１の裏側を脚の前側から当て、孔８が膝蓋骨上に位置し、上辺２が前大腿部上に、下辺３が前下腿部上に位置し、ステー１０、１１がそれぞれ大腿部より下腿部の左右側に沿って位置するようにし、左右側辺４、５を脚の後側に回し、左側辺４を下にしてその上に右側辺５を重ね、面フアスナ９で本体１上に締結させる。このようにして本体１の左右側辺４、５を後で重ね合わせることにより側辺４、５の凹所６、７は膝窩を囲むように一つの開口を形成する。次いで
締付ベルト１６、１７
適宜引張力を加えて
適切な圧迫力が加えられた状態で固定される
次に本体１の表側にスリット３０、３１を通して引き出されているストラップ２６、２７の自由端３４、３５をリング状金具３２、３３に挿入して折り返し、それぞれの
ストラップ２６、２７に加える引張力を調整して
圧迫力の方向、強さを望ましい状態に定め
固定する
第５　対比・判断
１　本願発明１について
（１）対比
　本願発明１と引用発明とを対比する。
ア
　「下腿」は、「膝から足首までの部分。[株式会社岩波書店 広辞苑第六版]」を意味しているから、引用発明の「ふくらはぎＣの下部から踵Ｈの上方近傍の間」は、「下腿」の一部を含んでいるといえる。
イ
　引用発明の「仰向けに寝たときに、ふくらはぎＣの下部から踵Ｈの上方近傍の間のアーチ状の隙間を埋めることのできるクッション材６」は、「クッション材収容部２」に「挿入」され、「装着の際には、クッション材６を挿入したクッション材収容部２を、ふくらはぎＣの下部から踵Ｈの近傍までの間に当てがい、左右のフラップ３、４で足ＬＧを包み込むようにして」いることから、引用発明の上記の「クッション材６」は、「ふくらはぎＣの下部から踵Ｈの上方近傍の間」を覆うといえる。
ウ
　上記イで述べた、引用発明の上記の「クッション材６」は、「ふくらはぎＣの下部から踵Ｈの上方近傍の間」すなわち「下腿」の一部（上記ア）を覆うといえるから、引用発明の「仰向けに寝たときに、ふくらはぎＣの下部から踵Ｈの上方近傍の間のアーチ状の隙間を埋めることのできるクッション材６」は、本願発明１の「下腿の周囲を覆うクッション」に相当する。
エ
　引用発明では、「装着の際には、クッション材６を挿入したクッション材収容部２を、ふくらはぎＣの下部から踵Ｈの近傍までの間に当てがい、左右のフラップ３、４で足ＬＧを包み込むようにして」いるから、引用発明の「クッション材６」、「クッション材６を挿入したクッション材収容部２」及び「左右のフラップ３、４」（これら３つの部材）は、足ＬＧを包み込むように被覆するといえる。
　したがって、上記ウを踏まえると、上記の３つの部材を備える、引用発明の「仰向けに寝たときに、ふくらはぎＣの下部から踵Ｈの上方近傍の間のアーチ状の隙間を埋めることのできるクッション材６を備え」、「装着の際には、クッション材６を挿入したクッション材収容部２を、ふくらはぎＣの下部から踵Ｈの近傍までの間に当てがい、左右のフラップ３、４で足ＬＧを包み込むようにして」いる構成は、本願発明１の「下腿の周囲を覆うクッションを含む脚被覆部」の構成に相当する。
オ
　引用発明の「血流改善用具１」は、「下肢の下部に装着して使用するものであり」、上記エを踏まえると、「仰向けに寝たときに」、「足ＬＧ」の「クッション」となるから、「足ＬＧ」用の枕であるといえる。
　したがって、引用発明の「下肢の血流改善用具１」は、本願発明１の「脚用枕」に相当する。
　以上を総合すると、本願発明１と引用発明との一致点及び相違点は、次のとおりである。
＜一致点＞
「下腿の周囲を覆うクッションを含む脚被覆部を備える
　脚用枕。」
＜相違点＞
「脚用枕」に関して、
　本願発明１は、
「前記脚被覆部が下腿にフィットするように前記脚被覆部を締める強さである締付力を調節可能な第１の調節部と、
　前記脚被覆部を引っ張ることにより前記締付力を調節可能な第２の調節部とを備え、
　前記第１の調節部は、脹脛が締め付けられるように前記脚被覆部が下腿にフィットする状態、および、前記脚被覆部が下腿に取り付けられた状態でユーザーが移動する場合に前記脚被覆部が下腿に保持される状態を形成できるように前記締付力を調節可能である」構成を備えるのに対して、
　引用発明は、
「装着の際には、クッション材６を挿入したクッション材収容部２を、ふくらはぎＣの下部から踵Ｈの近傍までの間に当てがい、左右のフラップ３、４で足ＬＧを包み込むようにして、足ＬＧの前方に向けて延びる左右のフラップ３、４の前端の面ファスナ５ａ、５ｂを重ね合わせて係合させることにより固定する」構成を備える点。
（２）判断
　以下、相違点について検討する。
ア
（ア）
　本願発明１の技術背景は、「ユーザーが脚用枕を下腿に取り付けて就寝することにより、就寝時に下腿がむくみにくくなる。これは、脚用枕が下腿に取り付けられることにより踵が寝具から浮き上がること、および、脚用枕により脹脛が締め付けられることにより、筋ポンプ作用が向上し、血管からの血液の染み出しが抑制されることが関係していると考えられる。」（本願明細書の段落【０００２】）ものと理解できる。
　本願発明１の課題は、「脚のむくみの抑制効果をさらに高めた脚用枕を提供することである。」（同段落【０００４】）ものと理解できる。
（イ）
　引用発明の課題は、「足の膝に負担をかけることなく足の疲労を回復することができる下肢の血流改善用具を提供することにあ」り（摘記（１ｂ）の段落【０００７】）、「ふくらはぎは人体の血流を支配する大きなファクタであることが知られているが、就寝時のふくらはぎに着目すると、仰向けに寝ると、ふくらはぎが押し潰された状態にな」り、「ふくらはぎが押し潰されると当該部位を通る血管が圧迫された状態になることから好ましい事ではない。」（摘記（１ｃ）の段落【０００９】）ものと理解できる。
（ウ）
　上記（ア）及び（イ）を踏まえて検討すると、引用発明は、「クッション材６を挿入したクッション材収容部２を、ふくらはぎＣの下部から踵Ｈの近傍までの間に当てがい」「固定する」ものであるから、本願発明１の「脹脛が締め付けられるように」するものとは、明らかに構造が異なるものである。
　引用発明において、「脹脛が締め付けられるように」する構造を採用すると、「ふくらはぎの膨らみを自然に近い状態、典型的には立位姿勢のときの膨らみ状態に保つこと」（摘記（１ｄ）の段落【００１３】）ができなくなり、ふくらはぎが押し潰されてしまうから、引用発明の課題（上記（イ））を解決することができなくなってしまう。
　したがって、引用発明において、「脹脛が締め付けられるように」する構造を採用することには、阻害要因があるといえる。
（エ）
　引用文献２には、「圧迫力」すなわち「締め付け」に係る技術が記載されている（「締付ベルト１６、１７」により、「適宜引張力を加えて」、「適切な圧迫力が加えられた状態で固定される」ことや、「ストラップ２６、２７に加える引張力を調整して」、「圧迫力の方向、強さを望ましい状態に定め」、「固定する」こと。摘記（２ｃ）を参照。）。
　しかしながら、引用文献２の「圧迫力」すなわち「締め付け」に係る技術を、引用発明に適用しても、ふくらはぎＣの下部から踵Ｈの近傍までの間が締め付けられるだけであり、上記相違点に係る本願発明の構成に至るものではない。
イ
　上記アのとおりであるから、本願発明１は、引用発明及び引用文献２に記載された技術事項に基いて、当業者が容易に発明をすることができたものとはいえない。
２　本願発明２及び３について
　本願発明２及び３は、本願発明１の発明特定事項を全て含み、さらに限定したものであるから、本願発明１と同様に、引用発明及び引用文献２に記載された技術事項に基いて、当業者が容易に発明をすることができたものとはいえない。
３　小括 
　したがって、原査定の理由を維持することはできない。 
第６　むすび
　以上のとおり、原査定の拒絶理由を検討してもその理由によっては、本願を拒絶することはできない。 
　また、他に本願を拒絶すべき理由を発見しない。 
　よって、結論のとおり審決する。